(57)【要約】【課題】特定の生活地域の利用者のみが情報交換に参加できることを保障し、種々の生活情報をお互いに安心して容易に利用することができる地域内情報通信システムを提供する。【解決手段】クライアントサーバ型ＬＡＮの地域内双方向通信網１３に接続され特定の生活地域内の家Ｈに備えられた端末装置１２と、特定の生活地域に関連する各種情報を提供する或いは受ける各立場に分類したデータベースが構築された地域内情報記憶手段１４と、各端末装置１２を特定するための回線番号のデータベースが構築された登録回線番号記憶手段１５と、地域内双方向通信網１３に接続され、登録済み回線番号からのアクセスであれば、特定の生活地域に関連する各種情報のデータを取り出すサーバ１１とを有する。【選択図】      図１
2005011077.tif 000002
【特許請求の範囲】
【請求項１】
クライアントサーバ型ＬＡＮ（Ｌｏｃａｌ  Ａｒｅａ  Ｎｅｔｗｏｒｋ）からなる地域内双方向通信網に接続され、特定の生活地域内の家に備えられた端末装置と、
前記各端末装置を特定するための予め登録された回線番号に関するデータからなるデータベースが構築された登録回線番号記憶手段と、
前記各家に提供される前記特定の生活地域に関連する各種情報を、提供する立場或いは受ける立場に分類したデータ、及び前記各種情報の内容に関するキーワードからなるデータベースが構築された地域内情報記憶手段と、
前記地域内双方向通信網に接続され、前記各端末装置からアクセスがあると、アクセスした端末装置が予め登録された回線番号であるか否かを前記登録回線番号記憶手段のデータベースを検索して確認し、アクセスした端末装置からの要求に応じ、前記地域内情報記憶手段のデータベースを検索して要求内容に該当する前記各種情報に関するデータを取り出し、前記各端末装置による取り込みを可能にするサーバと
を有することを特徴とする地域内情報通信システム。
【請求項２】
前記サーバは、要求内容に該当する前記各種情報に関するデータを取り出す際、前記キーワードを基に、提供する立場或いは受ける立場からの互いの要求内容が合致する情報に関するデータを取り出し、両立場それぞれの前記各端末装置に提供することを特徴とする請求項１に記載の地域内情報通信システム。
【請求項３】
前記端末装置からの要求に応じて取り出される、要求内容に該当する前記各種情報に関するデータには、アクセスした端末装置に関する情報が組み込まれていることを特徴とする請求項１または２に記載の地域内情報通信システム。
【請求項４】
前記サーバは、前記各家の前記端末装置の予定表に、前記各種情報に関するデータの内の予定表記載該当事項を自動的に書き込むことを特徴とする請求項１から３のいずれかに記載の地域内情報通信システム。
【請求項５】
前記端末装置は、前記地域内双方向通信網に接続されたタッチパネル付きＴＶであることを特徴とする請求項１から４のいずれかに記載の地域内情報通信システム。
【発明の詳細な説明】
【０００１】
【発明の属する技術分野】
この発明は、地域内情報通信システムに関し、特に、生活地域内の個人宅や商店等が双方向通信回線で接続されて、多様な情報についてお互いに検索、閲覧、連絡、照会、交換、斡旋等を行なうことができる地域内情報通信システムに関する。
【０００２】
【従来の技術】
現今のＩＴ技術の急激な進歩により、現代人は、多量の通信情報を生活の中で利用できるようになった。その代表的な例として、パソコン（パーソナルコンピュータ）を用い、インターネットの所定のＷｅｂプラウザ経由でＷＷＷ（Ｗｏｒｌｄ  Ｗｉｄｅ  Ｗｅｂ）上に公開された膨大なホームページの情報を閲覧することは、当たり前に広く実施されている。
【０００３】
この場合、情報閲覧者にとってはサーバに情報を取りに行くと言う点で、「情報収集型」の情報通信といえよう。一方、利用者同士がエンドツーエンド（ｅｎｄ−ｔｏ−ｅｎｄ）で直接情報を交換することが注目されている。これは、情報収集型と区別するために「情報交換型」の情報通信と呼ばれている。
【０００４】
インターネットに代表されるＷＡＮ（Ｗｉｄｅ  Ａｒｅａ  Ｎｅｔｗｏｒｋ）による情報通信は、広い地域の不特定多数の利用者同士が通信できるシステムである。従って、インターネットである事柄の情報を収集しようとすると、広い地域の情報を対象とすることができるが、生活地域内の情報を収集しようとする場合、不要な情報も多くなって情報洪水に巻き込まれる状況となる。
【０００５】
そこで、不要な情報に対処するものとして、ＷＡＮの情報通信においてもその情報通信対象をある特定の地域に限定することが可能となるものがある（例えば、特許文献１参照）。
【０００６】
【特許文献１】
特開２００１−３３８２０９公報
情報通信対象をある特定の地域に限定する、この情報提供システムでは、登録する会員データベースの情報提供システムにおいて、その会員の住所とサービス提供本拠地との距離情報を含めて情報提供する、検索／情報提供装置が示されている。
【０００７】
ところで、所定地域における利用者同士のエンドツーエンドでの直接情報交換においては、未知の不特定多数の人を対象とせずに、利用者は素性の知れた安心できる同じ地域の相手と情報交換することが望まれている。このため、インターネットのようなＷＡＮの場合、個人のプライバシー保護の点で生活に関わるような情報の提示をためらうことがある。
【０００８】
【発明が解決しようとする課題】
しかしながら、上述した特許文献１の情報提供システムの場合、情報利用者と情報提供者を同じ地域で限定することに難がある。情報検索者は、インターネットを用いてホームページの情報を得ることは容易にできるものの、ホームページに提示している者が情報検索者の反応を知ること、即ち、情報の相互交換に難がある。
【０００９】
また、個人のプライバシーに関るような情報の交換では関係のない他人への情報漏洩を防止するため、情報の安全性を確保することが非常に重要となる。
【００１０】
この発明の目的は、特定の生活地域の利用者のみが情報交換に参加できることを保障し、種々の生活情報をお互いに安心して容易に利用することができる地域内情報通信システムを提供することである。
【００１１】
【課題を解決するための手段】
上記目的を達成するため、この発明に係る地域内情報通信システムは、クライアントサーバ型ＬＡＮからなる地域内双方向通信網に接続され、特定の生活地域内の家に備えられた端末装置と、前記各端末装置を特定するための予め登録された回線番号に関するデータからなるデータベースが構築された登録回線番号記憶手段と、前記各家に提供される前記特定の生活地域に関連する各種情報を、提供する立場或いは受ける立場に分類したデータ、及び前記各種情報の内容に関するキーワードからなるデータベースが構築された地域内情報記憶手段と、前記地域内双方向通信網に接続され、前記各端末装置からアクセスがあると、アクセスした端末装置が予め登録された回線番号であるか否かを前記登録回線番号記憶手段のデータベースを検索して確認し、アクセスした端末装置からの要求に応じ、前記地域内情報記憶手段のデータベースを検索して要求内容に該当する前記各種情報に関するデータを取り出し、前記各端末装置による取り込みを可能にするサーバとを有することを特徴としている。
【００１２】
上記構成を有することにより、クライアントサーバ型ＬＡＮからなる地域内双方向通信網に接続されたサーバは、地域内双方向通信網に接続され特定の生活地域内の家に備えられた端末装置からアクセスがあると、アクセスした端末装置が予め登録された回線番号であることを、登録回線番号記憶手段の各端末装置を特定するための予め登録された回線番号に関するデータからなるデータベースを検索して確認し、アクセスした端末装置からの要求に応じ、地域内情報記憶手段の各家に提供される特定の生活地域に関連する各種情報を提供する立場或いは受ける立場に分類したデータからなるデータベースを検索して、要求内容に該当する特定の生活地域に関連する各種情報に関するデータを取り出し、各端末装置による取り込みを可能にする。これにより、特定の生活地域の利用者のみが情報交換に参加できることを保障し、種々の生活情報をお互いに安心して容易に利用することができる。
【００１３】
【発明の実施の形態】
以下、この発明の実施の形態について図面を参照して説明する。
【００１４】
図１は、この発明の一実施の形態に係る地域内情報通信システムの概念説明図である。図１に示すように、地域内情報通信システム１０は、サーバ１１、複数の地域居住者の家Ｈにそれぞれ備えられた端末装置１２、サーバ１１と各端末装置１２がそれぞれ接続される地域内双方向通信網１３、及びサーバ１１に備えられた地域内情報記憶手段１４、登録回線番号記憶手段１５を有している。
【００１５】
ここで言う家Ｈとは、個人宅、商店、事業所、役所等の、特定地域内のＬＡＮ（Ｌｏｃａｌ  Ａｒｅａ  Ｎｅｔｗｏｒｋ）を構成する単位の総称である。ＬＡＮは、一般的に狭い地域における通信ネットワークを意味するが、この発明に用いられるクライアントサーバ型ＬＡＮは、重要な共有ファイルを、例えば、コンピュータを用いたサーバで一元管理する、サーバを中心とした有線或いは無線によるネットワークである。
【００１６】
ＬＡＮを構成する各家Ｈの端末装置１２同士は、サーバ１１を経由して通信できるが、外部の第三者から端末装置１２には勝手にアクセスすることができない。このＬＡＮを用いて、地域内双方向通信網１３が形成され、各家Ｈには、端末装置１２として、例えば、タッチパネル付きＴＶ（Ｔｅｌｅｖｉｓｉｏｎ）が備えられている。
【００１７】
地域内情報記憶手段１４には、地域内情報通信システム１０によって特定の生活地域に居住する各家に提供される、特定の生活地域に関連する各種情報、即ち、各種の生活情報、趣味情報、行事情報、或いはスポーツ情報等を、提供する立場或いは受ける立場に分類したデータからなるデータベースが構築されている。
【００１８】
これらの情報は、ＬＡＮを構成する各家Ｈの情報提供者、即ち、商店、事業所、役所等に限らず個人からも、提供情報の種類や分類や区分項目等を指定して、端末装置１２からＬＡＮ回線を介してサーバ１１に送られる。送られた提供情報は、各種指定項目毎に区分されたデータファイルとして登録され地域内情報記憶手段１４に格納される。
【００１９】
登録回線番号記憶手段１５には、地域内情報通信システム１０に参加する各端末装置１２を特定するための、予め登録された端末装置１２の回線番号データからなるデータベースが構築されている。
【００２０】
これらのデータベースにおける、各種情報或いは回線番号の追加は、所定の登録手続によって随時可能であり、削除についても同様である。従って、これらのデータベースは、随時、必要なデータに書き換えることができる。
【００２１】
この地域内情報通信システム１０において、サーバ１１は、各家Ｈに備えられた端末装置１２からアクセスがあると、アクセスした端末装置１２が地域内情報通信システム１０に参加する端末装置１２であること、即ち、アクセスした端末装置１２の回線番号が予め登録された回線番号であることを、登録回線番号記憶手段１５のデータベースを検索して確認する。
【００２２】
確認後、サーバ１１は、アクセスした端末装置１２からの要求に応じて、地域内情報記憶手段１４のデータベースを検索し、要求内容に該当する各種情報に関するデータを取り出す。データベースから取り出されたデータは、アクセスした端末装置１２にダウンロードされる。
【００２３】
つまり、各家Ｈでは、必要なときにサーバ１１にアクセスして、地域内情報記憶手段１４に格納されている所望の情報のデータファイルを呼び出し、自宅のタッチパネル付きＴＶに取り込んで視聴することができる。
【００２４】
このとき、サーバ１１は、データファイルを、要求があった家の端末装置１２でしか閲覧することができないように、閲覧が許可される回線番号の家にのみ配信されるようにする。ＬＡＮに接続した家がＬＡＮ内の通信を利用するとき、インターネットで使われる暗証番号（パスワード）による閲覧制限よりも回線番号による制限の方が、手間がかからず、且つ、安心である。
【００２５】
この地域内情報通信システム１０は、地域内に新しい通信回線網を敷設することなく既存の回線網を利用することもできる。例えば、通信事業者（例えば、ＮＴＴ東日本）の電話局（収容局）にサーバ機能を持たせることで、既に配線されている電話局から各家への専用の電話回線を利用したＡＤＳＬ（Ａｓｙｍｍｅｔｒｉｃ  Ｄｉｇｉｔａｌ  Ｓｕｂｓｃｒｉｂｅｒ  Ｌｉｎｅ）技術により、収容局に繋がる生活地域のＬＡＮを構成することができる。同様に、光ファイバによるＦＴＴＨ（Ｆｉｂｅｒ  Ｔｏ  Ｔｈｅ  Ｈｏｍｅ）技術により、収容局に繋がる生活地域のＬＡＮを構成することもでき、ＡＤＳＬとＦＴＴＨの両技術を混在させて構成しても良い。
【００２６】
また、ケーブルテレビジョン（ＣＡＴＶ）回線を利用することもできる。この場合、ヘッドエンドと呼ばれるＣＡＴＶ会社の管理センターから加入している各家への通信伝送路があるので、ヘッドエンドにサーバ機能を持たせたＬＡＮを形成する。また、電力通信線を利用して生活地域ＬＡＮを構成することも可能であり、固定通信線を用いず地域に無線基地局を設置し、周辺の家のアンテナと双方向通信回線を確保して生活地域ＬＡＮを構築することもできる。
【００２７】
更に、上記各方法を複数組み合わせて形成した生活地域ＬＡＮを利用することもできる。このＬＡＮは、電話、ＴＶ放送、ＴＶ電話、ビデオ配信、インターネット等の通信回線と共用できることは言うまでもない。
【００２８】
以下に、生活地域ＬＡＮを利用した地域内情報通信システム１０により、各家Ｈからサーバ１１にアクセスし所望の情報を呼び出して利用する各種例を示す。
（実施例１）
この実施例では、地域内情報通信システム１０による地域内情報照会について説明する。地域内情報通信システム１０の各家Ｈの端末装置１２は、生活地域ＬＡＮを介してサーバ１１に接続しており、サーバ１１との間で双方向通信ができる。
【００２９】
地域内情報記憶手段１４には、地域内情報通信システム１０のＬＡＮを構成する家Ｈから提供された地域内情報を収録した、地域内情報一覧データからなるデータベースが構築されている。情報提供者は、例えば、商店、医院、美容院、役所、学校等であり、ＬＡＮを構成する各家Ｈは、サーバ１１を介して、地域内情報記憶手段１４の地域内情報一覧表を検索し地域内情報の照会ができる。
【００３０】
地域内情報について照会する場合、端末装置１２であるタッチパネル付ＴＶの画面で、メニュー画面に表示された項目の「Ａ地域情報紹介」をタッチし、選択する。選択により、「Ａ地域情報紹介」の画面に切り替わる。即ち、画面に表示された選択メニューのタッチ操作により、「Ａ地域情報紹介」を呼び出すことができる。勿論、この地域内情報照会は、地域内ＬＡＮに加入している家のみが利用できる。
【００３１】
呼び出された「Ａ地域情報紹介」画面の情報サービス内容一覧表の中から、利用したい項目を選択する。選択は、画面に表示された項目をタッチしてもよいし、キーボード等の入力手段を用いて、予め配布された一覧表に示された項目を示す番号或いは記号等を入力してもよい。ここでは、子犬を譲り受けたい山田さんが、地域内情報の照会を利用した場合を例に取る。
【００３２】
図２は、動物の受け入れカードの例を示し、（ａ）は書き込み前のカード説明図、（ｂ）は書き込み後のカード説明図である。図３は、動物の提供カードの例を示し、（ａ）は１件目のカード説明図、（ｂ）は２件目のカード説明図である。図４は、動物の受け入れカード登録例の書き込み前のカード説明図である。図５は、動物の受け入れカード登録例の書き込み後のカード説明図である。
【００３３】
先ず、「Ａ地域情報紹介」の情報サービス内容一覧表をみると、「２５１（動物の斡旋）」が見つかった。画面の所定の場所に、指で「２５１」と書き込むことで、画面に、「２５１（動物の斡旋）ですね。」と表示される。画面の「ＯＫ」ボタンをタッチすると、次の画面に、「動物が欲しい」、「動物を提供したい」の各項目が表示される。
【００３４】
「動物が欲しい」をタッチすると、続く画面に、「現在動物を提供するカードが４６件登録されております。」、「全カードを閲覧する」、「キーワード検索する」の各項目が表示される。「キーワード検索する」をタッチすると、画面に検索カードが表示される。表示された「動物の受け入れカード」（図２（ａ）参照）のキーワード欄に、「子犬」と指で書く（図２（ｂ）参照）。
【００３５】
次に、画面の「検索開始」をタッチすると、子犬（犬）に関する提供カードは２件登録されているので、１件目の動物の提供カード（図３（ａ）参照）と２件目の動物の提供カード（図３（ｂ）参照）が順番に画面に表示される。生憎、この２件は希望する室内犬ではないので、これから先の交渉には進まないこととする。
【００３６】
そこで、動物の受け入れカードを登録することにする。画面の「登録カード作成」をタッチすると、画面に、問い合わせ項目と共に登録前の動物の受け入れカードが表示される（図４参照）。問い合わせに応じ、画面上のカードの必要な箇所に指或いはタッチペンで問い合わせに対する答えを記入し、カードを作成する（図５参照）。カード作成後、画面上の「登録する」をタッチすると、作成された動物の受け入れカードは、「Ａ地域情報紹介」に登録される。
【００３７】
受け入れカードを登録することにより、その受け入れに関する内容に応答する内容の提供に関する情報が新たに登録された場合、サーバ１１は、提供に関する情報が登録されたことを、受け入れカード登録者（この場合、山田さん）の端末装置１２に配信する。
【００３８】
このように、登録された特定の生活地域に関連する各種情報は、各種情報を提供する立場或いは各種情報を受ける立場に分類されて登録されている。また、登録された情報の内容に関するキーワードも登録されており、そのキーワードとは対の内容となるキーワードを持つ登録情報が新たに照会（登録）された場合、対の内容となるキーワードを持つ既に登録されている登録情報を抽出して、抽出した登録情報を新たに照会した家に提供する。同様に、新たに照会（登録）された登録情報を、そのキーワードとは対の内容となるキーワードを持つ既に登録している家にも提供する。「対の内容となるキーワード」とは、例えば、「受け入れ」情報と「提供」情報というように、互いの要求内容が合致するキーワードを言う。
（実施例２）
この実施例では、地域内情報通信システム１０による地域内サービス一覧について説明する。地域内情報通信システム１０の各家Ｈの端末装置１２は、生活地域ＬＡＮを介してサーバ１１に接続しており、サーバ１１との間で双方向通信ができる。
【００３９】
地域内情報記憶手段１４には、地域内情報通信システム１０のＬＡＮを構成する家Ｈから提供されるサービス情報を収録した、サービス情報一覧データからなるデータベースが構築されている。情報提供者は、例えば、商店、医院、美容院、役所、学校等であり、ＬＡＮを構成する各家Ｈは、サーバ１１を介して、地域内情報記憶手段１４の地域内サービス情報一覧表を検索し提供されるサービス情報を閲覧することができる。
【００４０】
地域内サービス情報を一覧する場合、端末装置１２であるタッチパネル付ＴＶの画面で、メニュー画面に表示された項目の「地域内サービス一覧」をタッチし、選択する。選択により、「地域内サービス一覧」の画面に切り替わる。即ち、画面に表示された選択メニューのタッチ操作により、「地域内サービス一覧」を呼び出すことができる。勿論、この地域内サービス一覧は、地域内ＬＡＮに加入している家のみが利用できる。ここでは、一例として歯の治療予約を変更するケースを取り上げる。
【００４１】
図６は、歯の治療予約変更画面の一例を示し、（ａ）はメニュー画面の説明図、（ｂ）は予約変更画面の説明図、（ｃ）は予約変更後の説明図である。
【００４２】
先ず、「地域内サービス一覧」画面から「医院・歯科医院」を選択し、更に、「医院・歯科医院」画面から「Ｂ歯科クリニック」を選択する。選択により、画面には、Ｂ歯科クリニックに関する各種項目が表示される（図６（ａ）参照）。
【００４３】
次に、急用のため既に予約してある受診日を変更したいので、画面に表示された項目の中から「予約の確認・変更」をタッチして指定する。指定により、「予約の確認・変更」画面が表示される（図６（ｂ）参照）。このとき、使用している通信回線の番号から、操作元が山田太郎宅であることが自動的に認識され、更に、現在診療を受けているのが山田美樹のみであることも認識されるので、画面上に「山田美樹さんですね。」と表示することができる。
【００４４】
次に、「予約の確認・変更」画面から「変更する」を選択すると、画面に、カレンダーと利用可能時間が表示（図示しない）されるので、変更する日と時間をタッチして指定する。指定後、変更された日と時間で予約された画面が表示（図６（ｃ）参照）されるので、確認した後、画面上の「はい」をタッチして、予約の変更を終える。
【００４５】
以上、歯科医院の診療予約変更の場合を説明してきたが、対象は歯科医院に限らず全てのサービス提供者とすることができ、サービス提供内容も予約変更に限らず、商店等における販売商品の内容や特売案内を提示することもできる。
【００４６】
この地域内サービス一覧は、地域内ＬＡＮに加入している家のみが利用できるので、インターネットのホームページとは異なり、利用者の信頼度は高い。その上、回線番号により、サービス利用者の家を自動的に確認することができるので、販売予約や配達を確定しても商売上のリスクは小さい。
【００４７】
また、サービス利用者の各家毎にアクセスしてきた内容を記録することもできるので、その内容を分析することによりサービス利用者個々の関心動向を把握することができる。その結果、把握内容に基づいて、各サービス利用者へのメール配信にも役立てることができる。
【００４８】
また、サービス提供者である鉄道会社やバス会社を検索して、各駅毎や各停留所毎の時刻表を画面に呼び出すことができるようにすれば、自宅で発着時間を確認することができるので便利である。更に、複写機やファクシミリ（ｆａｃｓｉｍｉｌｅ：ＦＡＸ）を接続して、画面のコピーを取ることもできる。
（実施例３）
この実施例では、地域内情報通信システム１０による家別予定表について説明する。地域内情報通信システム１０の各家Ｈの端末装置１２は、生活地域ＬＡＮを介してサーバ１１に接続しており、サーバ１１との間で双方向通信ができる。
【００４９】
サーバ１１は、各家Ｈ毎の端末装置１２の記憶手段に格納されている予定表（スケジューラ）と連結しており、各家Ｈ或いはその家Ｈの構成員の予定、例えば、上述した実施例２の歯科医院での診療予約等を、自動的に予定表に書き込むことができる。予定表は、各家Ｈ毎に作成されており、山田太郎家の週間予定表は次のようになる。
【００５０】
図７は、予定表の一例を示し、（ａ）は全体説明図、（ｂ）は記入内容の項目毎の説明図、（ｃ）は項目の詳細内容説明図である。図７に示すように、山田宅の１週間予定表（（ａ）参照）には、曜日毎に１週間（６／１４〜６／２０）分、山田家全体に関する予定（（ｂ）の「空欄」参照）、及び構成員個人毎の予定（（ｂ）の「山田太郎さん」、「山田美樹さん」、「山田達也さん」参照）が書き込まれている。
【００５１】
この予定表に記載される項目としては、例えば、医院や歯科医院の診療予約、学校の行事予定やＰＴＡの会合日、図書館の本やレンタルビデオの返却日、地域の祭礼日、自冶会の行事日、各種サークルの活動予定日、特定ごみの収集日、商店からの商品配達日と時刻、弁当や料理の配達日と時刻、個人間の約束日、或いは家Ｈの構成員毎のメモ記入等がある。
【００５２】
ここに示したのは、予定表の一例であり、他の様々な構成の予定表を作ることができる。また、画面上の予定表の項目をタッチして指定すると、指定された項目の詳しい内容を表示することも可能である。例えば、「自治会班長会」を指定すると、開始時間や開催場所や議題等が書き込まれた画面（（ｃ）参照）が表示される。
【００５３】
各家Ｈの予定表は、各家Ｈの回線に接続した端末装置１２（ここでは山田家のタッチパネル付きＴＶ）でしか見ることできないようにしてある。また、家Ｈの構成員は、予定表に対し書き込み及び削除ができる。
【００５４】
このように、サーバ１１は、各家Ｈの端末装置１２の予定表に、各種情報に関するデータの内で、各家Ｈ毎の予定表への記載に該当する事項を、各家Ｈ毎に自動的に書き込む。
【００５５】
図８は、予定表の書き込み例を示し、（ａ）は書き込み画面の説明図、（ｂ）は書き込み状態の説明図、（ｃ）は登録状態の説明図である。図８に示すように、例えば、画面の「書き込み」をタッチすると、書き込み画面（（ａ）参照）が表示される。
【００５６】
そこで、山田美樹さんの６月１６日（木）を指定して、「どうそうかい」と書き込んだ後、画面の「書き込み」をタッチする（（ｂ）参照）。これにより、「同窓会」と漢字に変換されて画面の予定表に表示される。必要なら、画面の「再変換」をタッチし再変換を行う。その後、画面の「ＯＫ」をタッチすると予定表に登録される。なお、一旦登録された項目も、同様な方法で削除することができる。
（実施例４）
この実施例では、地域内情報通信システム１０による地域内メール受配信について説明する。地域内情報通信システム１０の各家Ｈの端末装置１２は、生活地域ＬＡＮを介してサーバ１１に接続しており、サーバ１１との間で双方向通信ができる。
【００５７】
ＬＡＮに接続する各家Ｈの端末装置１２同士でメールのやり取りを行う。メールの発信及び受信は、従来、企業等が構築したＬＡＮによりパソコンを使って広く行なわれているので、詳細な説明は省略する。ここでは、パソコン以外のタッチパネル付ＴＶを用いた場合について説明する。
【００５８】
タッチパネル付ＴＶを用いてメールのやり取りを行う場合、指やペン或いは音声等で画面にメール内容を書き込む。商店では、顧客一覧表を準備して、表に記載された顧客に販売案内メールを送付することもできるが、その際、各顧客それぞれの関心に合わせたきめ細かな内容のメールを作成することができる。例えば、「一定期間を経過した人間ドック検診者に、病院が次回検索のお勧め」、「北海道旅行を希望している人に、旅行会社がパンフレットの送付」、「新しい貸借住宅に変更を希望している人に、不動産屋が物件の提示」、「ある車種の中古車に関心のある人に、中古車屋が物件発生の連絡」等のメールである。
【００５９】
また、自冶会やサークルのメンバーにお知らせを送付することもでき、その際、双方向通信であるのでお知らせの出欠や意見を返信することもできる。
（実施例５）
この実施例では、地域内情報通信システム１０による地域内ＴＶ電話について説明する。地域内情報通信システム１０の各家Ｈの端末装置１２は、生活地域ＬＡＮを介してサーバ１１に接続しており、サーバ１１との間で双方向通信ができる。
【００６０】
各家Ｈの端末装置１２であるタッチパネル付ＴＶに、ＣＣＤ（Ｃｈａｒｇｅ  Ｃｏｕｐｌｅｄ  Ｄｅｖｉｃｅ）カメラのような映像撮影装置とマイクを取り付けて、ＴＶ電話とすることができる。即ち、ＬＡＮを構成する家Ｈ同士で、ＴＶ電話を介して映像と音声の双方向通信ができる。
【００６１】
双方向通信が可能な映像端末装置について説明する。現在、従来の受信専用器であるアナログＴＶが、双方向通信が可能なデジタルＴＶに置き換わりつつある。このデジタルＴＶの前面にタッチパネルを取り付けると、家電製品と同じような感覚で操作できる、受信機能に加えて送信機能も持つ双方向通信ＴＶとなる。なお、パソコンも、インターネットの端末装置に用いられるように双方向通信機能を持つが、子供やお年寄りには扱い難く、ＴＶも家族全員で視聴しながら操作するのには難がある。
【００６２】
この実施例では、タッチパネル付ＴＶのような家族全員が容易に操作できる双方向映像手段が通信端末器として各家Ｈに備えられ、ＬＡＮの回線に接続されていることを前提としている。しかしながら、タッチパネル付ＴＶの代わりにパソコンを接続することも可能であることは言うまでもない。
【００６３】
上述した各実施例に示す他、地域内情報通信システム１０は、地域内双方向ＴＶ放送、役所からのお知らせ、或いは緊急放送等にも使用することができる。緊急放送の場合は、表示されているＴＶ画面に割り込みで映像と音声を出力することも、ＴＶを使用していない場合に自動的にスイッチをオンにして緊急放送をすることも可能である。地域に関連の深い地震警報、津波警報、洪水警報、避難警報等に効果がある。
【００６４】
また、地域加入者一覧表を加入者が閲覧できるようにすることで、その表から通信相手を指定し、「地域内サービス一覧」、「地域内メール一覧」、「地域内ＴＶ電話」、「地域内電話」等の何れかの項目を画面で指定すると、自動的に通信相手と指定した項目内容の通信を開始することができる。
【００６５】
地域内加入者一覧表には、各家の世帯主とその家族或いは同居者の名前が記載されている。各家の了解の上で年齢、職業、学校、学年、趣味、その他の項目を記載することもできる。また、回線番号（一般の電話番号に相当する）も記載されている。この番号で、ある家に電話やＴＶ電話をかけることができる。
【００６６】
このように、この発明によれば、クライアントサーバ型ＬＡＮに接続された容易に行き来ができる生活地域内の家Ｈ同士が、様々な情報の相互交換を、交換対象を地域内に限定し情報内容の外部への拡散を防止した上で、パソコンよりも操作が簡単なタッチパネル付ＴＶ等の端末報置１２により、容易に行うことができる。
【００６７】
この際、端末装置１２からの要求に応じて取り出される、要求内容に該当する各種情報に関するデータには、「動物の受け入れカードにおける山田」（図２参照）、或いは「予約の確認・変更における山田美樹」（図６参照）等の、アクセスした端末装置１２に関する情報が組み込まれる。
【００６８】
即ち、ＬＡＮを構成する家Ｈ以外の外部者はアクセスできない地域内情報照会システムを用い、各家Ｈの端末装置１２でサーバ１１の地域内情報提供一覧を呼び出し、提示された各種情報の内の一つを選択することにより、目的とする地域内情報について、検索、閲覧、連絡、照会、交換、斡旋等をリアルタイムで行なうことができる。
【００６９】
その結果、ある家Ｈで不要になった物品の有効活用、趣味等の共通関心事に対しての相互情報交換、仲間同士が集まる地域内のサークル活動、地域内での商店の販売活動等を促進することができる。地域内の交流が活発化するのに伴い、地域社会の活性化に貢献することができる。
【００７０】
従って、第三者は物理的にシステムにアクセスできず、生活地域に実在する利用者のみが情報交換に参加できることを保障するシステムにより、種々の生活情報をお互いに安心して容易に利用できる「情報交換型」の情報通信システムを構築することができる。これにより、生活地域内の利用者同士が容易にフェースツーフェース（ｆａｃｅ  ｔｏ  ｆａｃｅ）の付き合いを持つことができ、生活に関する種々の事柄や、趣味、興味のある事柄、スポーツ等で相互の情報を交換して地域内の交流を図ることができる。
【００７１】
なお、上記各実施例において、各家からの情報の登録に際しては、各家の通信回線に付与される回線番号（例えば、ＴＶ電話であればその家のＴＶ電話番号）によってその家を特定し、登録した家とする。また、登録の際、その情報の公開有効期間（有効日）を指定してもよい。一旦登録した情報の内容や有効期間は、その情報を登録した家或いはサーバからのみ変更或いは抹消することができる。
【００７２】
また、情報検索表のある項目を選択してその項目に登録してある情報を閲覧し、その中のある情報についてその情報提供者と直接に照会或いは交渉をしたい場合、情報検索者の家の通信手段である端末装置（双方向ＴＶ、ＴＶ電話、電話、パソコン、ＦＡＸ等）と情報提供者の通信手段である端末装置を、閲覧画面中にあるメニュー選択画面で指定し、必要であれば画面にメール等を書き込み、生活地域ＬＡＮで自動的に接続してもよい。
【００７３】
更に、ある家においてある特定の家からの通信を拒否したい場合、ある特定の家からある家への通信回線の切断をある家の端末装置からサーバに登録することができる。この拒否の登録或いは一旦拒否した通信回線回復の登録は、ある家の回線を通してのみ可能であり他の家の回線ではできない。
【００７４】
【発明の効果】
以上説明したように、この発明によれば、地域内双方向通信網に接続されたサーバは、地域内双方向通信網に接続され特定の生活地域内の家に備えられた端末装置からアクセスがあると、アクセスした端末装置が予め登録された回線番号であることを、登録回線番号記憶手段の各端末装置を特定するための予め登録された回線番号に関するデータからなるデータベースを検索して確認し、アクセスした端末装置からの要求に応じ、地域内情報記憶手段の各家に提供される特定の生活地域に関連する各種情報を提供する立場或いは受ける立場に分類したデータからなるデータベースを検索して、要求内容に該当する特定の生活地域に関連する各種情報に関するデータを取り出し、各端末装置による取り込みを可能にするので、特定の生活地域の利用者のみが情報交換に参加できることを保障し、種々の生活情報をお互いに安心して容易に利用することができる。
【図面の簡単な説明】
【図１】この発明の一実施の形態に係る地域内情報通信システムの概念説明図である。
【図２】動物の受け入れカードの例を示し、（ａ）は書き込み前のカード説明図、（ｂ）は書き込み後のカード説明図である。
【図３】動物の提供カードの例を示し、（ａ）は１件目のカード説明図、（ｂ）は２件目のカード説明図である。
【図４】動物の受け入れカード登録例の書き込み前のカード説明図である。
【図５】動物の受け入れカード登録例の書き込み後のカード説明図である。
【図６】歯の治療予約変更画面の一例を示し、（ａ）はメニュー画面の説明図、（ｂ）は予約変更画面の説明図、（ｃ）は予約変更後の説明図である。
【図７】予定表の一例を示し、（ａ）は全体説明図、（ｂ）は記入内容の項目毎の説明図、（ｃ）は項目の詳細内容説明図である。
【図８】予定表の書き込み例を示し、（ａ）は書き込み画面の説明図、（ｂ）は書き込み状態の説明図、（ｃ）は登録状態の説明図である。
【符号の説明】
１０  地域内情報通信システム
１１  サーバ
１２  端末装置
１３  地域内双方向通信網
１４  地域内情報記憶手段
１５  登録回線番号記憶手段
Ｈ  地域居住者の家
【図１】
2005011077.tif 000003
【図２】
2005011077.tif 000004
【図３】
2005011077.tif 000005
【図４】
2005011077.tif 000006
【図５】
2005011077.tif 000007
【図６】
2005011077.tif 000008
【図７】
2005011077.tif 000009
【図８】
2005011077.tif 000010